(57)【要約】      （修正有）【課題】器具等を把持する際に滑り止め機能を十分に発揮させることができると共に、使用後に把持した面に手が触れることを防止できる機能性ハンカチを提供する。【解決手段】機能性ハンカチは、ハンカチ本体１０を有している。矩形状のハンカチ本体１０の裏面における一の角部４５を含む直角二等辺三角形の第１の区域４１と第１の区域を折り返して重なる直角二等辺三角形の第２の区域４２とからなる正方形の第３の区域４３に、複数の滑り止め片２６が一様に分布され付着される。ハンカチ本体１０の縁であって一の角部４５又は近傍の位置には外側に突き出た状態で短冊小布４０が取り付けられる。第１の区域４１を折り返したときに短冊小布４０の裏面に対峙するハンカチ本体１０の裏面上の一部分には、ハンカチ本体を第１の区域４１と第２の区域４２とが重なるよう折り畳んだ状態を維持するために短冊小布４０を着脱する着脱部５０が設けられる。【選択図】図２
0003228493.tif 000002
【実用新案登録請求の範囲】
【請求項１】
矩形状のハンカチ本体の裏面における一の角部を含む直角二等辺三角形の第１の区域と前記第１の区域を折り返して重なる直角二等辺三角形の第２の区域とからなる正方形の第３の区域に、複数の滑り止め片が一様に分布され付着され、
前記ハンカチ本体の縁であって前記一の角部又は近傍の位置には外側に突き出た状態で短冊小布が取り付けられ、
前記第１の区域を折り返したときに前記短冊小布の裏面に対峙する前記ハンカチ本体の裏面上の一部分には、前記ハンカチ本体を前記第１の区域と前記第２の区域とが重なるよう折り畳んだ状態を維持するために前記短冊小布を着脱する着脱部が設けられる機能性ハンカチ。
【請求項２】
前記ハンカチ本体の裏面における前記第３の区域の色、模様その他の表示態様は、他の区域の表示態様とは相違する請求項１に記載の機能性ハンカチ。
【請求項３】
前記ハンカチ本体の裏面における色、模様その他の表示態様は、表面の表示態様とは相違する請求項２に記載の機能性ハンカチ。
【請求項４】
前記着脱部は面ファスナのループ面部であり、前記短冊小布の裏面には前記面ファスナのフック面部が取り付けられる請求項１に記載の機能性ハンカチ。
【請求項５】
前記滑り止め片として、天然ゴム片又は合成ゴム片が前記ハンカチ本体の裏面における前記第３の区域に貼着される請求項１に記載の機能性ハンカチ。
【請求項６】
前記滑り止め片として、ポリオレフィン系エラストマー片、アクリル樹脂片、シリコン樹脂片又は塩化ビニル樹脂片が前記ハンカチ本体の裏面における前記第３の区域に融着される請求項１に記載の機能性ハンカチ。
【請求項７】
前記滑り止め片各々は長方形の平面形状を有し、その長辺が前記第３の区域の対角線に対して傾斜する請求項１に記載の機能性ハンカチ。
【考案の詳細な説明】
【技術分野】
【０００１】
本考案は、感染防止や滑り止め等の機能を有する機能性ハンカチに関する。
【背景技術】
【０００２】
ハンカチは、一般に正方形乃至長方形の手拭き布であり、従来から各種の繊維製のものが市販されている。ハンカチは、手拭き機能を主としているものであるが、用途によって他の機能を有している場合がある。近年、感染予防に対する意識が高くなり、不特定多数が触る器具、例えば、鉄道車両のつり革・手すり、ドアノブを直接触れるのを避ける傾向がある。この時、ハンカチを挟んでつり革等を手のひらの把持することが考えられる。しかしながら、ハンカチは繊維製であり、滑りやすくつり革等を掴むのに必ずしも適していない。
【０００３】
一方、ハンカチとして、手拭き機能の他に滑り止め機能を有しているものが知られている（例えば、特許文献１，２参照。）。
【０００４】
上記滑り止め機能を有するハンカチにあっては、器具を直接触れないようにするために、ハンカチの滑り止めの部分を器具に接触させた場合、ハンカチを器具から取り外した際に滑り止めの部分が露出し、使用者の手に触れてしまうことがあり、再感染の虞があった。
【先行技術文献】
【特許文献】
【０００５】
【特許文献１】特開２０１４−２０１８６５号公報
【特許文献２】特許第５４００２４２号公報
【考案の概要】
【考案が解決しようとする課題】
【０００６】
目的は、器具等を把持する際に滑り止め機能を十分に発揮させることができると共に、使用後にその面を触れることを抑止できる機能性ハンカチを提供することにある。
【課題を解決するための手段】
【０００７】
本考案の実施形態に係る機能性ハンカチは矩形状のハンカチ本体を有する。矩形状のハンカチ本体の裏面における一の角部を含む直角二等辺三角形の第１の区域と第１の区域を折り返して重なる直角二等辺三角形の第２の区域とからなる正方形の第３の区域に、複数の滑り止め片が一様に分布され付着される。ハンカチ本体の縁であって一の角部又は近傍の位置には外側に突き出た状態で短冊小布が取り付けられる。第１の区域を折り返したときに短冊小布の裏面に対峙するハンカチ本体の裏面上の一部分には、ハンカチ本体を第１の区域と第２の区域とが重なるよう折り畳んだ状態を維持するために短冊小布を着脱する着脱部が設けられる。
【図面の簡単な説明】
【０００８】
【図１】本考案の一実施形態に係る機能性ハンカチを示す平面図。
【図２】図１の機能性ハンカチの部分拡大図。
【図３】図１の機能性ハンカチを折り畳んで携帯する場合の態様を示す斜視図。
【図４】図１の機能性ハンカチの使用例を示す斜視図。
【考案を実施するための形態】
【０００９】
以下、図に基づいて、本考案の実施形態について説明する。  
図１、図２、図３に示すように、機能性ハンカチは、吸水性の高い繊維材で形成されたハンカチ本体１０を有している。ハンカチ本体１０の平面形状は矩形である。ハンカチ本体１０の平面形状は典型的には正方形であるが、長方形であってもよい。ハンカチ本体１０は矩形形状であるので４隅に直角の角部を有する。ハンカチ本体１０の裏面２０において、４隅の角部のうち任意の一の角部４５を含む直角二等辺三角形の区域（第１の区域）４１と、第１の区域４１を内側に折り返して重なる逆直角二等辺三角形の区域（第２の区域）４２とからなる正方形の全体区域（第３の区域）４３に、複数の滑り止め片２６が縦横に配列され、離散的且つ一様に分布され、付着されている。
【００１０】
当然にして、第１の区域４１を、第３の区域４３の対角線２１に沿って内側に折り返したとき、第２の区域４２に完全に重ね合わされる。つまり、第１の区域４１の一部が第２の区域４２から露出することもなく、且つ第２の区域４２の一部が第１の区域４１から露出することもない。使用者はハンカチ本体１０を挟んで電車のつり革を把持する。ハンカチ本体１０の裏面２をつり革に当て、手のひらをハンカチ本体１０の表面３０にあてがう。好適には、つり革に第３の区域４３の対角線２１を合わせて、第１の区域４１と第２の区域４２とを向かい合わせる。第１の区域４１と第２の区域４２がつり革に接触する。使用者はハンカチ本体１０の表面３０からつり革を握るので、つり革に直接触れることはない。また電車から降りるに際して、つり革からハンカチ本体１０を取り外し、第３の区域４３の対角線２１に沿って折り畳む。第１の区域４１と第２の区域４２とが重なり合い、それぞれが他方から露出しない。そのため再感染が抑止され得る。
【００１１】
ハンカチ本体１０の裏面２０と、使用者が触れる表面３０とを視認し、明りょうに識別できるように、ハンカチ本体１０の裏面２０における色、模様その他の表示態様が、表面３０の表示態様とを相違させることが好ましい。例えば表面３０を青色系の色、裏面２０を黄色系の色に使い分ける。さらに、ハンカチ本体１０の裏面２０において、第３の区域４３の色、模様その他の表示態様を、他の区域の表示態様と相違させることが好ましい。例えば第３の区域４３を赤色、他の区域を黄色に使い分ける。それにより使用者が裏面２０に触れ、さらに裏面２０の第３の区域４３に触れる状況が自然と抑えられ、再感染を抑止することができる。
【００１２】
滑り止め片２６各々は、天然ゴム片又は合成ゴム片であり、天然ゴム片又は合成ゴム片はハンカチ本体１０の裏面２０に貼着されている。滑り止め片２６としては、天然ゴム片又は合成ゴム片に限定されることはなく、ポリオレフィン系エラストマー片、アクリル樹脂片、シリコン樹脂片又は塩化ビニル樹脂片でもよい。滑り止め片２６がポリオレフィン系エラストマー片等であるとき、ポリオレフィン系エラストマー片等はハンカチ本体１０の裏面２０に融着される。
【００１３】
滑り止め片２６各々は長方形の平面形状を有している。滑り止め片２６はその長辺が第３の区域４３の対角線２１に対して典型的には４５度だけ傾斜するように配置される。つり革をそれに対角線２１が平行になるように把持したとき、滑り止め片２６はつり革に対して傾斜するので、つり革に対して複数の滑り止め片２６が接し、つり革が滑り止め片２６の隙間に位置して滑ってしまうような事態を避けることができる。
【００１４】
ハンカチ本体１０を第１の区域４１と第２の区域４２とが重なるよう折り畳んだ状態を維持するために、ハンカチ本体１０の縁であって一の角部４５又はその近傍の位置には外側に突き出た状態で短冊小布４０が取り付けられる。短冊小布４０の裏面には面ファスナのフック面部５１が取り付けられ、第１の区域４１を第２の区域４２に重ねるように折り畳んだときに、フック面部５１が対峙するハンカチ本体１０の裏面２０上の一部分には、面ファスナのループ面部５０が着脱部として取り付けられている。フック面部５１は硬く、手触りが決して良いとはいえないが、それに比べてループ面部５０は比較的柔らかい。ループ面部５０をハンカチ本体１０に取り付けることにより、手ふきの際に痛みを感じにくい。
【００１５】
ループ面部５０にフック面部５１を合わせるようにハンカチ本体１０を折り畳むことにより、第１の区域４１が第２の区域４２に重なるような想定している状態での折り畳みが自然に誘導される。なお、多少の位置ずれを許容して、折り畳み作業を容易にするため居、ループ面部５０をフック面部５１よりも若干大きく設けることが好ましい。
【００１６】
面ファスナのループ面部５０とフック面部５１とを、フックの雌部と雄部とにそれぞれ置き換えることができる。同様に面ファスナのループ面部５０とフック面部５１とを、鉄片と磁石片とにそれぞれ置き換えてもよい。さらに面ファスナのループ面部５０とフック面部５１とを、ボタンホールとボタンとにそれぞれ置き換えてもよい。その他任意の着脱手段に置き換えることができる。
【００１７】
フック面部５１がループ面部５０に付着される。それによりハンカチ本体１０を第１の区域４１と第２の区域４２とが重なるよう折り畳んだ状態が維持され、第１の区域４１と第２の区域４２とが重なり合い、それぞれが他方から露出しないので、つり革に直接接触した第１の区域４１と第２の区域４２とを人の手等が触れることが抑えられ、再感染を効果的に抑えることができる。
【００１８】
次に、このように構成された機能性ハンカチの使用方法について図４を用いて説明する。なお、図４中、Ａは使用者の腕、Ｈは手を示している。すなわち、使用者が鉄道車両に乗った際に図３に示すようにつり革１００をつかむ場合には、第３の区域４３の対角線２１に沿ってハンカチ本体１０を折り曲げて、その折り曲げた位置でつり革１００を掴むようにする。もちろん、ハンカチ本体１０を四つ折りにしてつり革１００を掴むようにしてもよい。ハンカチ本体１０の裏面２０の第３の区域４３には滑り止め片２６が分布しているため、つり革１００に対して滑りにくく、鉄道の走行時の揺れに十分に対処できる。また、使用者はつり革１００に直接触れることが無いため、感染防止が可能となる。同様にしてドアノブ等にも使用することができる。
【００１９】
一方、使用後は、ハンカチ本体１０の裏面２０の第３の区域４３は汚染されている可能性があるため、短冊小布４０のフック面部５１をループ面部５０に付着させて折り畳んだ状態を維持し、第３の区域４３が外側に露出しないようにする。これにより、機能性ハンカチを使用する際に使用者が誤って第３の区域４３に触れることはない。また、第３の区域４３以外の区域は繊維材が露出し、また第３の区域４３の反対側の表面３０は露出しているため、ハンカチ本来の手ふき機能が阻害されることもない。
【００２０】
なお、つり革等を掴む前においては、ハンカチ本体１０の表裏前面を使って手を拭くことができる。その際、第３の区域４３の全面に滑り止め材が付されているのではなく、滑り止め片２６が離散的に分布しているため、第３の区域４３内であっても繊維面が多く露出しているため、手を拭く機能は十分に発揮することができる。
【００２１】
このように本実施形態に係る機能性ハンカチによれば、器具等を把持する際に滑り止め機能を十分に発揮させることができると共に、使用後に手に触れることを防止することが可能となる。
【００２２】
なお、上記実施形態に限定されるものではなく、実施段階ではその要旨を逸脱しない区域で種々に変形することが可能である。また、各実施形態は適宜組み合わせて実施してもよく、その場合組み合わせた効果が得られる。更に、上記実施形態には種々の考案が含まれており、開示される複数の構成要件から選択された組み合わせにより種々の考案が抽出され得る。例えば、実施形態に示される全構成要件からいくつかの構成要件が削除されても、課題が解決でき、効果が得られる場合には、この構成要件が削除された構成が考案として抽出され得る。
【符号の説明】
【００２３】
１０…ハンカチ本体、２０…表面、２６…滑り止め片、３０…裏面、４１…第１の区域（直角二等辺領域）、４２…第２の区域（逆直角二等辺領域）、４３…第３の区域（正方形領域）。
【図１】
0003228493.tif 000003
【図２】
0003228493.tif 000004
【図３】
0003228493.tif 000005
【図４】
0003228493.tif 000006
【手続補正書】
【提出日】令和2年7月21日(2020.7.21)
【手続補正１】
【補正対象書類名】実用新案登録請求の範囲
【補正対象項目名】全文
【補正方法】変更
【補正の内容】
【実用新案登録請求の範囲】
【請求項１】
矩形状のハンカチ本体の裏面における一の角部を含む直角二等辺三角形の第１の区域と前記第１の区域を折り返して重なる直角二等辺三角形の第２の区域とからなる正方形の第３の区域に、複数の滑り止め片が一様に分布され付着され、
前記ハンカチ本体の縁であって前記一の角部又は近傍の位置には外側に突き出た状態で短冊小布が取り付けられ、
前記第１の区域を折り返したときに前記短冊小布の裏面に対峙する前記ハンカチ本体の裏面上の一部分には、前記ハンカチ本体を前記第１の区域と前記第２の区域とが重なるよう折り畳んだ状態を維持するために前記短冊小布を着脱する着脱部が設けられる機能性ハンカチ。
【請求項２】
前記ハンカチ本体の裏面における前記第３の区域の色、模様の表示態様は、他の区域の表示態様とは相違する請求項１に記載の機能性ハンカチ。
【請求項３】
前記ハンカチ本体の裏面における色、模様の表示態様は、表面の表示態様とは相違する請求項２に記載の機能性ハンカチ。
【請求項４】
前記着脱部は面ファスナのループ面部であり、前記短冊小布の裏面には前記面ファスナのフック面部が取り付けられる請求項１に記載の機能性ハンカチ。
【請求項５】
前記滑り止め片として、天然ゴム片又は合成ゴム片が前記ハンカチ本体の裏面における前記第３の区域に貼着される請求項１に記載の機能性ハンカチ。
【請求項６】
前記滑り止め片として、ポリオレフィン系エラストマー片、アクリル樹脂片、シリコン樹脂片又は塩化ビニル樹脂片が前記ハンカチ本体の裏面における前記第３の区域に融着される請求項１に記載の機能性ハンカチ。
【請求項７】
前記滑り止め片各々は長方形の平面形状を有し、その長辺が前記第３の区域の対角線に対して傾斜する請求項１に記載の機能性ハンカチ。